(57)【要約】【課題】魚釣りの際に電動リールに給電するためのバッテリやコードが出来るだけ邪魔にならず、バッテリの取付けや交換を行う際に行い易く、釣りをしている最中も使い易い釣竿用ハンドルを提供すること。【解決手段】釣竿用ハンドル１４は、魚釣用電動リール３０が取り付けられるリール取付部１４ｂを有し、柱状のボディ４２と前記ボディに形成された肩部４６とを有し前記電動リールにコード６０を介して給電可能なバッテリ４０を着脱可能である。ハンドルには中空部Ｓを形成するとともに、中空部に通じる魚釣用電動リールのコードを挿通する挿通孔７４ａが設けられている。ハンドルの後端には、中空部がハンドルの後端にテーパ状に広がったテーパ部７６ａを形成するとともに、コードに接続されるバッテリの肩部がテーパ部に当接した状態に配設される拡径部７６が設けられている。【選択図】    図３
2010104358.tif 000002
【特許請求の範囲】
【請求項１】
魚釣用電動リールが取り付けられるリール取付部を有し、柱状のボディと前記ボディに形成された肩部とを有し前記電動リールにコードを介して給電可能なバッテリを着脱可能な釣竿用ハンドルであって、
前記ハンドルに中空部を形成するとともに、前記中空部に通じる魚釣用電動リールのコードを挿通する挿通孔を設け、
前記中空部が前記ハンドルの後端にテーパ状に広がったテーパ部を形成するとともに、前記コードに接続される前記バッテリの肩部が前記テーパ部に当接した状態に配設されるバッテリ保持部を設けたことを特徴とする釣竿用ハンドル。
【請求項２】
前記バッテリ保持部は、
前記バッテリのボディの少なくとも一部を覆う筒状部と、
前記筒状部から内方に突出した状態に設けられ、前記バッテリのボディを拘束した状態に着脱可能に保持する突部と
を有することを特徴とする請求項１に記載の釣竿用ハンドル。
【請求項３】
リール取付部を有する釣竿用ハンドルであって、
前記ハンドルに中空部を形成するとともに、前記中空部に通じる魚釣用電動リールのコードを挿通する挿通孔を設け、
前記ハンドルの後端にバッテリ保持部を設けたことを特徴とする釣竿用ハンドル。
【請求項４】
前記バッテリ保持部は、前記バッテリが前記ハンドルの後端に保持されているときに、前記ハンドルの前記中空部に水が浸入するのを防止する水密機構を備えていることを特徴とする請求項２もしくは請求項３に記載の釣竿用ハンドル。
【請求項５】
前記バッテリ保持部は、前記ハンドルの中空部の後端にて内方に突出し、バッテリを狭持する突部を有していることを特徴とする請求項３に記載の釣竿用ハンドル。
【請求項６】
前記バッテリ保持部は、前記ハンドルの後端にて前記ハンドルより大径の筒状部を有していることを特徴とする請求項３ないし請求項５のいずれか１に記載の釣竿用ハンドル。
【請求項７】
前記筒状部は、前方側から後方側に向かって開口が広げられるテーパ部を有していることを特徴とする請求項６に記載の釣竿用ハンドル。
【請求項８】
前記バッテリ保持部は、前記ハンドルの後端に着脱可能なケース体を有し、前記ケース体で前記バッテリをカバー可能としたことを特徴とする請求項１ないし請求項７のいずれか１に記載の釣竿用ハンドル。
【請求項９】
請求項１ないし請求項８のいずれか１に記載の釣竿用ハンドルの先端側に竿部が取り付けられていることを特徴とする釣竿。
【請求項１０】
魚釣用電動リールが取り付けられるリール取付部を有する釣竿用ハンドルの前記ハンドルに中空部を形成し、前記中空部に通じる挿通孔を設け、
前記ハンドルの後端にバッテリ保持部を設けて、前記挿通孔から差し込み前記中空部を介して前記ハンドルの後端に挿通したコードの先端を魚釣用電動リールに接続し、前記コードの後端をバッテリ保持部に取り付けたバッテリに接続したことを特徴とする魚釣装置。
【請求項１１】
前記コードは前記中空部内を前記ハンドルの長手方向に移動可能に挿通されていることを特徴とする請求項１０に記載の魚釣装置。
【発明の詳細な説明】
【技術分野】
【０００１】
この発明は、魚釣用電動リールとともに用いられることが好適な釣竿用ハンドル、釣竿及び魚釣装置に関する。
【背景技術】
【０００２】
従来から釣竿に魚釣用電動リールを取り付けて魚釣りが行われている。このように電動リールを用いて行われる魚釣りは、釣竿に電動リールを取り付け、足下に置いたバッテリから電動リールにコードを接続して給電している。したがって、掛かった魚が釣船の周りを回った場合でも釣り人はコードを張った状態でコードの長さ以上に移動することが出来ないため、その場所から動かずに魚を引き寄せる必要がある。また、魚が掛からない場合でも、コードを引きずりながら釣竿用ハンドルを保持していなければならない。
【０００３】
特許文献１や特許文献２には、釣竿のハンドルのリールシートに魚釣用電動リールを取り付け、このように取り付けた魚釣用電動リールの給電コードをハンドル内に収容したバッテリに接続して魚釣用電動リールに給電できるようにした釣竿が紹介されている。
【先行技術文献】
【特許文献】
【０００４】
【特許文献１】実開平２−９０７４号公報
【特許文献２】特開２００５−３１２３６９号公報
【発明の概要】
【発明が解決しようとする課題】
【０００５】
特許文献１に開示された釣竿はバッテリ交換を行う際にハンドルの全体を取り外す必要があり、交換が面倒である。  
特許文献２に開示された釣竿はバッテリと過充電・過放電機能を有する保護回路とがパッケージ内に収容されて一体化されたバッテリパックが用いられる。この釣竿は、バッテリパックを筒状のハンドルの後端に配設されたキャップを取り外してハンドルの後端からリールシートの近傍に向けて入れる構造を有する。しかし、バッテリパックの装着とその電気的接続がし難く、また、装着したバッテリパックが確実には保持されていない。
【０００６】
この発明は、このような課題を解決するためになされたものであり、その目的とするところは、魚釣りの際に電動リールに給電するためのバッテリやコードが出来るだけ邪魔にならず、バッテリの取付けや交換を行う際に行い易く、釣りをしている最中も使い易い釣竿用ハンドルや釣竿や魚釣装置を提供することにある。
【課題を解決するための手段】
【０００７】
上記課題を解決するために、魚釣用電動リールが取り付けられるリール取付部を有し、柱状のボディと前記ボディに形成された肩部とを有し前記電動リールにコードを介して給電可能なバッテリを着脱可能な釣竿用ハンドルにあっては、前記ハンドルに中空部を形成するとともに、前記中空部に通じる魚釣用電動リールのコードを挿通する挿通孔を設け、前記中空部が前記ハンドルの後端にテーパ状に広がったテーパ部を形成するとともに、前記コードに接続される前記バッテリの肩部が前記テーパ部に当接した状態に配設されるバッテリ保持部を設けたことを特徴とする。  
また、前記バッテリ保持部は、前記バッテリのボディの少なくとも一部を覆う筒状部と、前記筒状部から内方に突出した状態に設けられ、前記バッテリのボディの外周を拘束した状態に着脱可能に保持する突部とを有することが好ましい。  
また、前記バッテリ保持部は、前記バッテリが前記ハンドルの後端に保持されているときに、前記ハンドルの前記中空部に水が浸入するのを防止する水密機構を備えていることが好ましい。  
また、前記バッテリ保持部は、前記ハンドルの後端に着脱可能なケース体を有し、前記ケース体で前記バッテリをカバー可能としたことが好ましい。
【発明の効果】
【０００８】
ハンドルの中空部の後端にテーパ状に広がったテーパ部を形成するとともに、コードに接続される前記バッテリの肩部がテーパ部に当接された状態に配設されるバッテリ保持部を設けたことにより、ハンドルの操作時にハンドルの後端に保持されたバッテリのガタ付き（移動）を防止できる。すなわち、バッテリをハンドルの後端に対して同じ位置に保持されるように（動かないように）位置決めすることができる。また、バッテリの交換（着脱）を行う際にもバッテリの肩部がハンドルのテーパ部から当接した状態を解除すれば良く、ハンドルの中空部を通してハンドルの後端まで導いたコードのコネクタをハンドルの内側もしくは外側で着脱することができるので、コードとバッテリとの着脱も容易である。バッテリをハンドルの後端で保持するため、魚釣りの最中にバッテリが邪魔にならない。
【０００９】
バッテリ保持部がバッテリを拘束した状態に着脱可能に保持する突部を有することにより、バッテリをハンドルの後端に動かない状態に保持することができる。すなわち、実釣時などであってもバッテリのフラツキを防止できる。また、バッテリの交換（着脱）を行う際にもバッテリのボディの拘束を解除すれば良く、ハンドルの中空部を通してハンドルの後端まで導いたコードのコネクタをハンドルの内側もしくは外側で着脱することができるので、コードとバッテリとの着脱も容易である。
【００１０】
バッテリ保持部がハンドルの後端に着脱可能なケース体を有し、ケース体でバッテリをカバー可能としたことにより、バッテリを確実に保護することができる。
【図面の簡単な説明】
【００１１】
【図１】第１の実施の形態に係る魚釣装置を示す概略図。
【図２】第１の実施の形態に係る魚釣装置の釣竿のハンドルの後端からバッテリを取り外した状態を示す概略的な縦断面図。
【図３】第１の実施の形態に係る魚釣装置の釣竿のハンドルの後端にバッテリを装着した状態を示す概略的な縦断面図。
【図４】（Ａ）は第１の実施の形態に係る魚釣装置の釣竿のハンドルの突部の開口にキャップを装着した状態を示す概略的な縦断面図、（Ｂ）はキャップを示す概略的な斜視図。
【図５】第２の実施の形態に係る魚釣装置を示す概略図。
【図６】第２の実施の形態に係る魚釣装置の釣竿のハンドルの後端からバッテリを取り外した状態を示す概略的な縦断面図。
【図７】第２の実施の形態に係る魚釣装置の釣竿のハンドルの後端にバッテリを装着した状態を示す概略的な縦断面図。
【図８】第３の実施の形態に係る魚釣装置を示し、（Ａ）は釣竿のハンドルの後端からバッテリを取り外してキャップをした状態を示す概略的な縦断面図、（Ｂ）は図８（Ａ）に示す釣竿に取り付けられた魚釣用電動リールと図８（Ｃ）に示すバッテリとを接続するコードを示す概略図、（Ｃ）はコードに接続され魚釣用電動リールに給電するためのバッテリを示す概略図、（Ｄ）は図８（Ｃ）に示すバッテリを図８（Ａ）に示す釣竿の後端に接続した状態を維持するためのバッテリケースを示す概略図。
【発明を実施するための形態】
【００１２】
以下、図面を参照しながらこの発明を実施するための形態（以下、実施の形態という）について説明する。
【００１３】
第１の実施の形態について図１ないし図４を用いて説明する。  
図１の魚釣装置に示すように、この実施の形態の釣竿１０は、竿部１２と、この竿部１２の後端に配設され釣り人が把持するハンドル１４とを備えている。図２及び図３に示す竿部１２の後端の嵌合突起１３ａは、ハンドル１４の後述する芯部材１４ｄの先端の嵌合孔１３ｂに差し込まれて取り付けられている。なお、竿部１２の後端の嵌合突起１３ａはハンドル１４の先端の嵌合孔１３ｂに対して固定（固着）または着脱可能に取り付けられる。
【００１４】
竿部１２は、例えば繊維強化樹脂材製の竿桿２２と、竿桿２２に配設された釣糸用ガイド２４とを備えている。なお、本実施形態の釣竿１０の竿部１２は、中通し竿として形成されていることも好適である。また、竿桿２２は、中空構造に限らず、中実構造であっても良い。
【００１５】
図２及び図３に示す魚釣装置の魚釣用電動リール３０は、リール本体３２の両側に配置した１対の側板３４間に、図示しないスプール軸を介してスプールが回転可能に支持されている。この側板３４で支えられたハンドル軸（図示しない）を介して、このリール３０のハンドル３４ａ（図８参照）の回転をリール本体３２内に配置された駆動機構に伝達することができる。
【００１６】
通常と同様に、このスプールは、一方の側板３４に設けたハンドル３４ａを介する手動操作で形成される駆動力により、リール本体３２内に配置された公知の駆動機構を介して回転され、あるいは、リール本体３２のスプール前方の側板３４間にモータケースを介して収容された公知のスプール駆動モータにバッテリ４０から給電する電動操作で形成される駆動力により、動力伝達機構を介して回転され、このスプール上に釣糸が巻回される。
【００１７】
電動操作による駆動力で釣糸を巻き取る際は、リール本体３２に通常と同様に取り付けられたスプール駆動モータのモータ出力調節用操作部を操作することにより、リール本体３２に内蔵のマイクロコンピュータを通じてスプール駆動モータの出力を自由に制御（モータ出力の停止や出力の増減調節）することができる。また、この操作部の操作により、マイクロコンピュータを通じて、スプール駆動モータの停止位置から高出力値までスプール駆動モータの出力を調節し、スプールの回転速度、つまり、釣糸の巻き取り速度を制御することができる。
【００１８】
このリール本体３２の上面の前方部位には、通常の電動リールと同様に、制御部３２ａを配置してあり、例えば、釣糸の繰出し量（糸長）、棚位置等の種々の制御機能、制御条件等を表示する液晶表示部を配置し、更に、棚位置を設定する棚取りボタン、糸長計測値の値をゼロにリセットするリセットボタン、および、押し込んでいるときにのみスプール駆動モータを駆動させ、解放したときに停止して微妙な巻上操作を可能とする寸動ボタン等の種々のボタンあるいはスイッチ類を配置してある。
【００１９】
通常と同様に、リール本体３２には、クラッチ機構（図示しない）も設けられており、このクラッチ機構を通じて、スプール軸に駆動連結するスプール駆動モータあるいはハンドルで形成される駆動力を、スプールに伝達し或いはスプールから遮断することができる。クラッチ機構がスプール軸をスプール駆動モータおよびハンドルから分離した状態（スプールフリー状態）で、ハンドルを回転させると、図示しない復帰機構を介して、スプール軸が元の状態（巻取状態）に復帰する。これにより、スプール軸と一体化されているスプールを、スプール駆動モータあるいはハンドルが形成する駆動力で回転することができる。符号３６は、スプールフリー状態におけるスプールの回転に適度な制動力を掛けて過回転を防止する調節ネジを示す。
【００２０】
更に、リール本体３２の下部前方の、ハンドルから離隔した側の側板３４の下部で、リール本体３２を保持した手と干渉しない位置に、給電部３８を下方に向けて配置してある。給電部３８は、後述する取付脚部３０ａやリール取付部１４ｂのリールシート５２と干渉しない位置に延出されている。この給電部３８はリール本体３２内のスプール駆動モータに外部電力源から給電するものであり、バッテリ４０が電気的に連結される。
【００２１】
このような魚釣用電動リール３０を釣竿１０のハンドル１４に取り付けるため、リール本体３２には釣竿１０のハンドル１４の長手方向に沿って前後に延びる取付脚部３０ａがその下側に配置されている。
【００２２】
釣竿１０の釣竿用ハンドル１４は、前グリップ１４ａと、魚釣用電動リール３０の取付脚部３０ａが着脱可能に取り付けられるリール取付部１４ｂと、後グリップ１４ｃとを備えている。これら前グリップ１４ａ、リール取付部１４ｂ及び後グリップ１４ｃは、例えば筒状に形成され、これらの内部に芯部材１４ｄが配設されている。上述したように、竿部１２の竿桿２２の基端は、芯部材１４ｄの先端部に配設されている。芯部材１４ｄは、前グリップ１４ａ及びリール取付部１４ｂの内部の全体に配設されているのに対して、後グリップ１４ｃはその先端側に配設されている。
【００２３】
釣竿１０の釣竿用ハンドル１４のリール取付部１４ｂは、魚釣用電動リール３０の取付脚部３０ａを介して魚釣用電動リール３０を取り付けるためのいわゆる筒状のリールシート５２からなっている。リール取付部１４ｂは取付脚部３０ａが載置される取付脚部載置面５２ａの後方に例えば一体的に形成され、取付脚部３０ａの後端部を受け入れる固定フード５４ａを配置している。また、リール取付部１４ｂは取付脚部載置面５２ａの前方に移動フード５４ｂが配設され、この移動フード５４ｂの前端にナット（移動フード５４ｂの操作部であるネジリング）５６が配設されている。ナット５６はリールシート５２に形成されたネジ部５２ｂに回転可能に螺合されている。このため、ナット５６を回転させると、移動フード５４ｂを釣竿用ハンドル１４の長手方向に沿って前後動させて取付脚部３０ａの前端部を受け入れることができる。
【００２４】
したがって、ナット５６を回転させつつ移動フード５４ｂを魚釣用電動リール３０の取付脚部３０ａの先端部を移動フード５４ｂ内に収容して後方に押し込み移動させると、魚釣用電動リール３０の取付脚部３０ａは、固定フード５４ａおよび移動フード５４ｂ間で挟持されつつ取付脚載置面５２ａ上に押圧される。これにより、魚釣用電動リール３０は、その取付脚部３０ａがリール取付部１４ｂの上面の取付脚載置面５２ａの上に載せられてリール取付部１４ｂに取り付けられる。ナット５６を逆に回転させて移動フード５４ｂを前方に移動させることにより、釣竿１０のリール取付部１４ｂ（リールシート５２）から魚釣用電動リール３０を取り外すことができる。
【００２５】
本実施形態では、このように釣竿１０に取り付けられる魚釣用電動リール３０にコード６０を介して接続される魚釣装置のバッテリ４０は、例えばリチウムイオン電池等により携帯可能な小型かつ軽量に形成されている。このバッテリ４０は充電により再使用可能である。  
このバッテリ４０は、外部を樹脂製の外装部材すなわちボディ４２で覆った密閉構造を有する。図２中、左側に示す先端側には、魚釣用電動リール３０の給電部３８に対してコード６０を介して電気的に接続される接続部４４が突出した状態に配置されている。ボディ４２は、例えば円形状や略矩形状等滑らかな外周面を有することが好ましい略柱状に形成され、その接続部４４に近接する側は肩部４６としてボディ４２に一体的に形成されている。肩部４６は、略円錐台状を有し、接続部４４側に向けて先細り状になる傾斜面を有している。
【００２６】
コード６０は、その一端にリール用コネクタ６２を備え、その他端にバッテリ用コネクタ６４を備えている。なお、ここでは、リール用コネクタ６２は図２及び図３に示すように、コード６０およびリール用コネクタ６２の軸方向が給電部３８に対して真っ直ぐのストレートタイプのものが用いられる場合について説明するが、コード６０とリール用コネクタ６２との軸方向が異なる、例えばＬ型タイプ（図示しない）などが用いられることも好ましい。
【００２７】
図２及び図３に示すように、この実施の形態に係る後グリップ１４ｃは、例えば金属や合成樹脂（繊維強化樹脂を含む）などの硬質材料で筒状に形成され、内部にコード６０を挿通させる中空状の挿通部（中空部）Ｓを有するグリップ本体７２を備えている。
【００２８】
グリップ本体７２の先端はリール取付部１４ｂの後端に取り付けられ、芯部材１４ｄが差し込まれて固定されている。グリップ本体７２の先端側には、リール取付部１４ｂの取付脚部載置面５２ａが形成された側とは反対側（裏面側）であって、取付脚部載置面５２ａよりも後方に、先端に開口（挿通孔）７４ａを有する突部７４が一体的に形成されている。突部７４の開口７４ａは、グリップ本体７２の内部に形成されたコード６０の挿通部Ｓに連通されている。突部７４の内周面の開口（挿通孔）７４ａの内側には、グリップ本体７２のコード６０の挿通部Ｓの内周面と滑らかに連続するようにグリップ本体７２の外側から内部に向かう傾斜面７４ｂが形成されている。したがって、開口（挿通孔）７４ａに挿通したコード６０は傾斜面７４ｂに誘導されて徐々にハンドル１４の中心軸Ｃに沿った方向に向きながら挿通部Ｓ内に差し込まれる。また、この傾斜面７４ｂに対向する芯部材１４ｄの端部には、コード６０を挿脱する際のガイドとなる案内面７４ｃが形成されている。
【００２９】
ハンドル１４のうち、グリップ本体７２はリール取付部１４ｂより後方に形成された握持部で、その前方側（リール取付部１４ｂより後方）に挿通部（中空部）Ｓに通じる開口（挿通孔）７４ａが形成され、この挿通部（中空部）Ｓはハンドル１４のグリップ本体７２の少なくとも開口（挿通孔）７４ａから後端まで延設されている。
【００３０】
なお、突部７４の開口７４ａの大きさは、コード６０のリール用コネクタ６２及びバッテリ用コネクタ６４のいずれか一方または両方を通すことが可能な大きさに形成されている。このため、コード６０は後グリップ１４ｃに対して着脱（挿脱）可能である。本実施形態では、図２及び図３に示すリール用コネクタ６２及びバッテリ用コネクタ６４の両方を開口７４ａに通すことが可能である。
【００３１】
そして、突部７４の開口７４ａを後グリップ１４ｃのハンドル本体７２（リール取付部１４ｂのリールシート５２でも良い）に設け、コード６０のバッテリ用コネクタ６４をハンドル１４の中心軸Ｃにその軸方向が近づけられた開口７４ａを通して容易に挿通させることができる。このため、コード６０に無理な力をかけることを防止できる。このように、開口７４ａに対してコード６０を挿脱する際にコード６０の軸方向（長手方向）をハンドル１４の中心軸Ｃに対して直交する状態よりも平行に近づけて中心軸Ｃに沿った方向にしているので、コード６０を開口（挿通孔）７４ａに挿通したときの湾曲が小さくなってコード６０に大きな負荷をかけることなく出し入れ（挿脱）可能である。そして、特に、突部７４の傾斜面７４ｂ及び芯部材１４ｄの案内面７４ｃにより、コード６０を開口７４ａに対して出し入れする際に、コード６０を滑らかに移動させることができる。
【００３２】
なお、後グリップ１４ｃに形成された突部７４は、後グリップ１４ｃの指掛部として使用することができる。このため、突部７４の開口７４ａにコード６０が挿通されても、後グリップ１４ｃの把持のし易さを極力維持することができる。  
また、この実施の形態では、開口７４ａを有する突部７４がハンドル本体７２の外周面に対して外側に突出した状態に形成した例について説明したが、開口７４ａがハンドル本体７２に対して凹状に形成されていることも好ましい。  
また、開口７４ａの位置はコード６０のバッテリ用コネクタ６４がハンドル１４の後端から取り出すことができれば、後グリップ１４ｃのいずれの位置であっても良く、また、リール取付部１４ｂであっても良い。
【００３３】
図２に示すように、挿通部（中空部）Ｓは開口（挿通孔）７４ａからハンドル１４の後端まで延設されて後端にも開口しており、グリップ本体７２の内径よりも外径が大きいバッテリ４０を収容するために、挿通部（中空部）Ｓのハンドル１４の後端の開口は、やや拡径された拡径部（バッテリ保持部）７６がグリップ本体７２の後端に形成されている。拡径部７６の拡径量（拡径状態）は、ハンドル本体７２の中心軸Ｃに対して略対称的であることが好ましい。拡径部７６の内周面（バッテリ保持部）７６ａは、バッテリ４０の肩部４６と略同じ傾斜を有し、後端側ほど開口が大きく形成されている。すなわち、拡径部７６の内周面７６ａはハンドル本体７２の中心軸Ｃに対して略対称的に略テーパ状に形成されている。言い換えると、拡径部７６の内周面７６ａはハンドル１４の後端に延設された挿通部（中空部）Ｓが前方側から後方側に向かって開口が次第に広げられるテーパ部である。
【００３４】
拡径部７６の後端には、バッテリ４０のボディ４２の一部を覆う筒状部７８が拡径部７６に一体的に形成されている。この筒状部７６は、例えば円筒状（リング状）に形成されている。筒状部７８は、後述する突起７８ｂがバッテリ４０のボディ４２によって径方向外方に向かって押圧されて変形したとしても極力その形状を維持できる素材で形成されている。
【００３５】
この筒状部７８の外周には雄ネジ部７８ａが形成されている。この雄ネジ部７８ａには、キャップ８０の雌ネジ部８０ａが着脱可能に螺合される。なお、図示しないが、筒状部７８の雄ネジ部７８ａ又はキャップ８０の雌ネジ部８０ａには水密を図るＯリングが配設されていることが好ましい。このため、釣竿１０の保管時や運搬時などにハンドル１４の後端からゴミや水等が浸入することを防止できる。
【００３６】
ハンドル１４の後端に該当する筒状部７８の挿通部（中空部）Ｓの内周面には、バッテリ４０のボディ４２の外周面を拘束した状態に保持するためハンドル本体７２の中心軸Ｃ方向に向かって突出する突起（バッテリ保持部）７８ｂが形成されている。突起７８ｂは基本的には固定状態にあるが、使用による摩擦等により小さくなってきたときに交換可能であることが好ましい。突起７８ｂはバッテリ４０のボディ４２の外周面に当接してバッテリ４０を狭持し、バッテリ４０のボディ４２の外周面に対して着脱する際に適度な摩擦力を発揮するように例えば樹脂材やゴム材等、弾性変形可能な素材で形成されている。そして、突起７８ｂは、例えば等間隔など適当な間隔ごとに形成（複数の突起７８ｂを有するように形成）されていたり、ボディ４２を周方向に覆うＯリングとして形成されていることが好ましい。すなわち、ここで言う突起７８ｂにはＯリングを含む。突起７８ｂがＯリングとして形成されている場合、中空部Ｓへの水の浸入を防止する水密機構として機能する。また、筒状部７８が円筒状でない場合やバッテリ４０のボディ４２が円筒状でない場合、各突起７８ｂの突出量を変えたり、突起７８ｂとしてのＯリングの外側形状や内側形状を適宜の形状にすることによってバッテリ４０を所望の状態（例えばバッテリ４０をハンドル本体７２の中心軸上）に保持することができる。そして、ハンドル１４を動かしたり釣竿１０を振ったときなどにおいても、バッテリ４０のガタツキを防止するように、バッテリ４０の肩部４６は後グリップ１４ｃの拡径部７６の内周面（度当て面）７６ｂに度当てされる。
【００３７】
バッテリ４０をハンドル１４の後端に装着する際、ハンドル１４の挿通部（中空部）Ｓにその長手方向に移動するように挿通したコード６０を引っ張ってハンドル１４の後端から引き出してコード６０のバッテリ用コネクタ６４を接続部４４に装着する。この状態でバッテリ４０の接続部４４側（先端側）をハンドル１４の後端の筒状部７８の開口から挿通部（中空部）Ｓに差し込んで嵌合し、バッテリ４０の肩部４６を、筒状部７８を有する拡径部７６の内周面７６ａに保持させるときに、筒状部７８の内周面に配設された突起７８ｂでボディ４２を押圧する。このとき、釣り人は突起７８ｂの摩擦力に抗して肩部４６およびボディ４２を導入していく。最終的に、肩部４６を拡径部７６の内周面（度当て面）７６ａに度当て（当接）させてハンドル１４に対するバッテリ４０のガタ付きを防止した状態でバッテリ４０をハンドル１４の後端に嵌合して保持する。すなわち、ハンドル１４の後端のバッテリ４０はハンドル１４の中心軸Ｃ方向（ハンドル１４の前方への移動防止）だけでなく、中心軸Ｃに直交する方向へのガタ付きも防止される。
【００３８】
このようにバッテリ４０をハンドル１４の後端で保持することにより、実釣時、後グリップ１４ｃのハンドル本体７２を釣り人が把持して釣竿１０を操作している際に、ハンドル本体７２の拡径部７６の後端の筒状部７８の突起７８ｂでバッテリ４０のボディ４２を保持し、かつ、バッテリ４０をハンドル１４の後端でガタ付きなく保持することができる。このため、バッテリ４０のボディ４２の側方から中心軸Ｃに向かう方向（中心軸Ｃに直交する方向）に力が加えられた場合であっても、バッテリ４０がハンドル１４の後端から思わぬ脱落をすることを防止できる。  
また、バッテリ４０を釣竿１０の後端に配置したので、釣竿１０の重心位置を釣竿１０の後端側に移動させることができる。すなわち、釣竿１０の重心を、電動リール３０と後グリップ１４ｃを間に介したハンドル１４の後端側とに分けて配し、重量を分散させてバランスを良くできるので、釣竿１０の操作も容易に行うことができる。  
また、バッテリ４０をハンドル１４の後端で保持するため、魚釣りの最中にバッテリ４０が邪魔にならない。
【００３９】
また、バッテリ４０を交換したり、魚釣りの終了時など、ハンドル１４の後端からバッテリ４０を取り外す際、バッテリ４０のボディ４２の接続部４４側（先端側）をハンドル１４の挿通部（中空部）Ｓに差し込んで保持し、バッテリ４０の接続部４４側に対して反対側の後端側がハンドル１４の後端から突出し露呈するように突起７８ｂでバッテリ４０のボディ４２を保持しているので、ハンドル１４の後端に対してバッテリ４０を相対的に引っ張ることによって、バッテリ４０を取り外すことができる。
【００４０】
なお、バッテリ４０を保持する突起７８ｂは、バッテリ４０のボディ４２に係合する係合部ともなっており、本実施の形態のように摩擦力で係合する他、バッテリ４０のボディ４２の凹凸に係合することもできる。
【００４１】
なお、拡径部７６の内周面７６ａの傾斜角度は、ハンドル本体７２の後端に例えばアダプタ（図示せず）を取り付けることによって、種々の形状のバッテリ４０の肩部４６を度当てして保持することができる。アダプタは例えばコード６０を通す穴が開いた漏斗のような形状を有し、開き角度（テーパ部の角度）を適宜に設定したゴム材や樹脂材等、適度に変形しかつ肩部との接触面積が大きくなる素材で形成されていることが好ましい。
【００４２】
また、この実施の形態では後グリップ１４ｃのハンドル本体７２を拡径部７６まで一体に形成したが、拡径部７６がハンドル本体７２とは別部材であってハンドル１４の後端で螺合等、着脱可能であることも好ましい。このように拡径部７６の形状を適宜に設定することによって、種々の形状を有するバッテリ４０をハンドル１４の後端に配置することができる。すなわち、バッテリ４０の形状に合わせて拡径部７６の形状を適宜に選択できることも好適である。
【００４３】
図４（Ａ）に示すように、突部７４の開口７４ａには栓体（キャップ）８２が配設されることが好ましい。図４（Ｂ）に示すように、栓体８２は、可撓性を有するゴム材や合成樹脂材等で略円柱状に形成されている。栓体８２は、略円柱状の中心軸上に形成されコード６０が配設される取付孔８２ａと、この栓体８２の外側と取付孔８２ａとを連通するように形成された切り欠き溝８２ｂと、栓体８２を突部７４の端部に引っ掛けるフランジ部８２ｃとを備えている。図４（Ａ）に示すように、取付孔８２ａは、コード６０の外周に密着する。切り欠き溝８２ｂは、コード６０を取付孔８２ａに配設する際に弾性変形により開いてコード６０を取付孔８２ａに配置する。
【００４４】
このため、栓体８２を突部７４の開口７４ａに配設した場合、取付孔８２ａの径を小さくし、かつ、切り欠き溝８２ｂを閉塞するように作用する。このため、突部７４からハンドル１４の内部への水やゴミ等の侵入を防止することができる。
【００４５】
なお、栓体８２を突部７４を延長するように突出させて指掛けをより大きく形成するようにしても良い。
【００４６】
次に、第２の実施の形態について図５から図７を用いて説明する。この実施の形態は第１の実施の形態の変形例である。  
この実施の形態は、ハンドル１４の後グリップ１４ｃの後端の構造が異なる。ここでは、図２に示すキャップ８０の代わりに、バッテリケース（ケース体）８４を用いる例について説明する。
【００４７】
バッテリケース８４は、有底円筒状に形成されている。このバッテリケース８４の開口された端部の内周面には、雌ネジ部８４ａが形成されている。この雌ネジ部８４ａは拡径部７６の筒状部７８の雄ネジ部７８ａに螺合可能である。また、このバッテリケース８４の底部には、バッテリ４０をハンドル１４の中心軸Ｃに沿って先端側に向かって押圧する押圧パッド（押圧部）８４ｂが配設されている。そして、後グリップ１４ｃの拡径部７６およびバッテリケース８４は、バッテリ保持部を形成する。
【００４８】
なお、図示しないが、筒状部７８の雄ネジ部７８ａ又はバッテリケース８４の雌ネジ部８４ａには水密を図るＯリングが配設されていることが好ましい。このため、釣竿１０の保管時や運搬時などにハンドル１４の後端からゴミや水等が浸入することを防止できる。  
バッテリケース８４にバッテリ４０が配設された状態でバッテリケース８４の雌ネジ部８４ａを拡径部７６の筒状部７８の雄ネジ部７８ａに螺合させると、バッテリ４０のガタツキを防止するように、バッテリ４０の肩部４６が後グリップ１４ｃの拡径部７６の内周面（度当て面）７６ｂに度当てされる状態を容易に維持することができる。  
このため、釣竿１０のうち、釣り人が釣りの最中に直接的にバッテリ４０に触れない状態にバッテリ４０を配置することができ、バッテリ４０が邪魔にならない状態で釣りをすることができる。また、バッテリ４０を釣竿１０の後端に配置したので、釣竿１０の重心位置を釣竿１０の後端側に移動させることができる。すなわち、釣竿１０の重心を、電動リール３０とハンドル１４の後端側とに分けて配し、重量を分散させてバランスを良くできるので、釣竿１０の操作も容易に行うことができる。
【００４９】
次に、第３の実施の形態について図８を用いて説明する。この実施の形態は第１および第２の実施の形態の変形例である。
【００５０】
図８（Ａ）から図８（Ｄ）に示すように、釣竿用ハンドル１４の拡径部７６の後端には、キャップ８０が着脱可能であるとともに、バッテリケース８４が着脱可能である。すなわち、キャップ８０の雌ネジ部８０ａとバッテリケース８４の雌ネジ部８４ａとは同形状に形成されている。
【００５１】
なお、この実施の形態では、突部７４の開口７４ａに栓体８６が配設されている。栓体８６は例えばゴムやコルク等、耐腐食性を有する素材で形成されていることが好ましい。そして、栓体８６は開口７４ａよりも僅かに大きく形成されている。このため、栓体８６の弾性変形により開口７４ａを密封することができる。したがって、釣竿１０の保管時や運搬時等に開口７４ａからゴミや水等が中空部Ｓ内に入り込むのを確実に防止できる。
【００５２】
これまで、いくつかの実施の形態について図面を参照しながら具体的に説明したが、この発明は、上述した実施の形態に限定されるものではなく、その要旨を逸脱しない範囲で行なわれるすべての実施を含む。
【符号の説明】
【００５３】
１２…竿桿、１４…ハンドル、１３ａ…嵌合突起、１３ｂ…嵌合孔、１４ａ…前グリップ、１４ｂ…リール取付部、１４ｃ…後グリップ、１４ｄ…芯部材、３０…電動リール、３０ａ…取付脚部、３２…リール本体、３２ａ…制御部、３４…側板、３６…調節ネジ、３８…給電部、４０…バッテリ、４２…ボディ、４６…肩部、５２…リールシート、５２ａ…取付脚部載置面、５２ｂ…ネジ部、５４ａ…固定フード、５４ｂ…移動フード、５６…ナット、６０…コード、６２…リール用コネクタ、６４…バッテリ用コネクタ、７２…グリップ本体、７４…突部、７４ａ…開口（挿通孔）、７４ｂ…傾斜面、７４ｃ…案内面、７６…拡径部、７６ａ…拡径部の内周面（テーパ部）、７８…筒状部、７８ａ…雄ネジ部、７８ｂ…突起。
【図１】
2010104358.tif 000003
【図２】
2010104358.tif 000004
【図３】
2010104358.tif 000005
【図４】
2010104358.tif 000006
【図５】
2010104358.tif 000007
【図６】
2010104358.tif 000008
【図７】
2010104358.tif 000009
【図８】
2010104358.tif 000010